(57)【要約】【課題】  光ディスクドライブに装填された光ディスクの種類の識別に要する時間を短縮し、短時間で起動することのできる情報処理装置を提供する。【解決手段】  パーソナルコンピュータ１０においては、処理を実行すべき指定光ディスク２１がキーボード１４から入力されることによって指定され、ＯＤＤ１３は、指定された指定光ディスク２１のみに対して読出し処理及び書込み処理の少なくとも一つの処理の実行を可能にする。これによって、装填された光ディスク２０の種類の識別に要する時間を短縮し、パーソナルコンピュータ１０を短時間で起動することができる。【選択図】図３
2008165861.tif 000002
【特許請求の範囲】
【請求項１】
複数種類の光ディスクに対して読出し処理及び書込み処理の少なくとも一つの処理の実行を可能にする光ディスクドライブと、
前記読出し処理及び前記書込み処理の少なくとも一つの処理を実行すべき指定光ディスクとして、少なくとも１種類の前記光ディスクを指定する指定手段と、を備え、
前記光ディスクドライブは、前記指定光ディスクのみに対して前記読出し処理及び前記書込み処理の少なくとも一つの処理の実行を可能にすることを特徴とする情報処理装置。
【請求項２】
前記光ディスクドライブは、装填された前記光ディスクが前記指定光ディスクであるか否かを判断し、装填された前記光ディスクが前記指定光ディスクである場合には、装填された前記光ディスクに対して前記読出し処理及び前記書込み処理の少なくとも一つの処理の実行を可能にすることを特徴とする請求項１記載の情報処理装置。
【請求項３】
前記光ディスクドライブによって、装填された前記光ディスクが前記指定光ディスクでないと判断された場合に、ユーザに対してその旨を通知する通知手段を備えることを特徴とする請求項２記載の情報処理装置。
【請求項４】
前記光ディスクドライブは、前記指定光ディスクを示す指定光ディスク情報を記憶する記憶手段を有し、前記指定光ディスク情報に基づいて前記指定光ディスクに対して前記読出し処理及び前記書込み処理の少なくとも一つの処理の実行を可能にすることを特徴とする請求項１〜３記載のいずれか一項記載の情報処理装置。
【請求項５】
前記光ディスクドライブは、前記指定光ディスクとして少なくとも２種類の前記光ディスクが指定されている場合には、使用頻度の高さを示す使用履歴情報に基づいて、使用頻度の高い前記指定光ディスクに対して優先的に前記読出し処理及び前記書込み処理の少なくとも一つの処理の実行を可能にすることを特徴とする請求項１〜４記載のいずれか一項記載の情報処理装置。
【発明の詳細な説明】
【技術分野】
【０００１】
本発明は、複数種類の光ディスクに対して読出し処理及び書込み処理の少なくとも一つの処理を実行する機能を有する情報処理装置に関する。
【背景技術】
【０００２】
近年、ＣＤ−ＲＯＭ、ＣＤ−ＲＷ及びＤＶＤ−ＲＯＭ等の複数種類の光ディスクを処理することのできる光ディスクドライブを備えたパーソナルコンピュータ等の情報処理装置が開発されている。このような情報処理装置においては、光ディスクドライブに装填された光ディスクの種類を識別した後に、当該光ディスクに対して読出し処理や書込み処理を実行している。
【０００３】
光ディスクの種類を識別する方法としては、過去の使用履歴情報を参照し、使用頻度の高い種類の光ディスクから優先的に判別作業を実行することによって、光ディスクドライブに装填された光ディスクの種類を識別するものが知られている（例えば、特許文献１参照）。
【特許文献１】特開２０００−６６８４２号公報
【発明の開示】
【発明が解決しようとする課題】
【０００４】
しかしながら、上述したような識別方法をパーソナルコンピュータ等の情報処理装置に適用すると、例えば使用頻度の低い光ディスクを装填した場合、当該光ディスクの判別作業を実行するまでの間に、その他の種類の光ディスクの判別作業も実行しなくてはならないため、光ディスクドライブに装填された光ディスクの種類を識別するのに長い時間がかかってしまう。その結果、情報処理装置の起動に時間がかかってしまうというおそれがある。
【０００５】
そこで、本発明は、このような問題を解決するためになされたものであり、光ディスクドライブに装填された光ディスクの種類の識別に要する時間を短縮し、短時間で起動することのできる情報処理装置を提供することを目的とする。
【課題を解決するための手段】
【０００６】
上記目的を達成するために、本発明に係る情報処理装置は、複数種類の光ディスクに対して読出し処理及び書込み処理の少なくとも一つの処理の実行を可能にする光ディスクドライブと、読出し処理及び書込み処理の少なくとも一つの処理を実行すべき指定光ディスクとして、少なくとも１種類の光ディスクを指定する指定手段と、を備え、光ディスクドライブは、指定光ディスクのみに対して読出し処理及び書込み処理の少なくとも一つの処理の実行を可能にすることを特徴とする。
【発明の効果】
【０００７】
本発明によれば、光ディスクに装填された光ディスクの種類の識別に要する時間を短縮し、短時間で起動することができる。
【発明を実施するための最良の形態】
【０００８】
以下、本発明の好適な実施形態について、図面を参照して詳細に説明する。なお、各図において同一又は相当部分には同一符号を付し、重複する説明を省略する。
【０００９】
図１に示されるように、ノートブック型のパーソナルコンピュータ（情報処理装置）１０は、コンピュータ本体１１と、ディスプレイユニット１２とから構成されている。ディスプレイユニット１２には、ＬＣＤ（Liquid  Crystal  Display）１７から構成される表
示装置が組み込まれており、ＬＣＤ１７の表示画面は、ディスプレイユニット１２の略中央に位置されている。
【００１０】
ディスプレイユニット１２は、コンピュータ本体１１に対して開放位置と閉塞位置との間を回動自在に取り付けられている。コンピュータ本体１１は、薄い箱型の筐体を有しており、その右側面には、光ディスクドライブ（ＯＤＤ）１３が配置されている。また、その上面には、キーボード１４、パーソナルコンピュータ１０の電源をＯＮ／ＯＦＦするためのパワーボタン１５、入力操作パネル１６、タッチパッド１８及びスピーカ１９等が配置されている。
【００１１】
ＯＤＤ１３は、装填された光ディスク２０に対して読出し処理や書込み処理の実行を可能にするものである。処理の実行が可能な光ディスク２０は、複数種類に渡り、例えば、ＣＤ−ＲＯＭ、ＣＤ−ＲＷ、ＣＤ＋ＲＷ、ＤＶＤ−ＲＯＭ、ＨＤ−ＤＶＤ等である。本実施形態においては、これらのうち、ユーザによって指定された指定光ディスク２１のみに対して読出し処理及び書込み処理の少なくとも一つの処理の実行が可能とされる。
【００１２】
キーボード（指定手段）１４は、ユーザが入力操作を行うことによって、指定光ディスク２１を指定する部分である。
【００１３】
ＬＣＤ（通知手段）１７の表示画面は、ユーザに対して所定の情報を表示する。例えば、装填された光ディスク２０が指定光ディスク２１と異なる場合に、その旨のメッセージを表示する。
【００１４】
次に、パーソナルコンピュータ１０のシステム構成について説明する。
【００１５】
図２に示されるように、パーソナルコンピュータ１０は、ＣＰＵ１１１、ノースブリッジ１１２、主メモリ１１３、ビデオコントローラ１１４、オーディオコントローラ１１５、サウスブリッジ１１９、ＢＩＯＳ−ＲＯＭ１２０、ハードディスクドライブ（ＨＤＤ）１２１、エンベデッドコントローラ／キーボードコントローラＩＣ（ＥＣ／ＫＢＣ）１２４及びネットワークコントローラ１２５等を備えている。
【００１６】
ＣＰＵ１１１は、パーソナルコンピュータ１０の動作を制御するために設けられたプロセッサであり、ＨＤＤ１２１から主メモリ１１３にロードされるオペレーティングシステム（ＯＳ）を実行する。更に、光ディスクドライブ１３が、装填された光ディスク２０に対して読出し処理及び書込み処理の少なくとも一つの処理の実行を可能にした場合に、ＣＰＵ１１１は、それらの処理の実行をする。
【００１７】
また、ＣＰＵ１１１は、ＢＩＯＳ−ＲＯＭ１２０に格納されたシステムＢＩＯＳ（Basic  Input  Output  System）も実行する。なお、システムＢＩＯＳは、ハードウェア制御のためのプログラムである。
【００１８】
ノースブリッジ１１２は、ＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated  Graphics  Port）バス等を介してビデオコントローラ１１４との通信、及びオーディオコントローラ１１５との通信を実行する機能も有している。
【００１９】
主メモリ１１３は、指定光ディスク２１の使用頻度の高さを示す使用履歴情報を格納している。
【００２０】
ビデオコントローラ１１４は、パーソナルコンピュータ１０のディスプレイモニタとして使用されるＬＣＤ１７を制御するビデオ再生コントローラである。
【００２１】
オーディオコントローラ１１５は、パーソナルコンピュータ１０のスピーカ１９を制御するオーディオ再生コントローラである。
【００２２】
サウスブリッジ１１９は、ＬＰＣ（Low  Pin  Count）バス上の各デバイス、及びＰＣＩ（Peripheral  Component  Interconnect）バス上の各デバイスを制御する。また、サウスブリッジ１１９は、各種ソフトウェア及びデータを格納する記憶装置であるＨＤＤ１２１、及びＯＤＤ１３を制御するためのＩＤＥ（Integrated  Drive  Electronics）コントローラを内蔵している。更に、サウスブリッジ１１９は、ＢＩＯＳ−ＲＯＭ１２０をアクセス制御するための機能も有している。
【００２３】
ＥＣ／ＫＢＣ１２４は、電力管理のためのエンベデッドコントローラと、キーボード（ＫＢ）１３及びタッチパッド１８を制御するためのキーボードコントローラとが集積された１チップマイクロコンピュータである。このＥＣ／ＫＢＣ１２４は、ユーザによるパワーボタン１５の操作に応じてパーソナルコンピュータ１０の電源をＯＮ／ＯＦＦする機能を有している。ネットワークコントローラ１２５は、例えばインターネット等の外部ネットワークとの通信を実行する通信装置である。
【００２４】
次に、ＯＤＤ１３の詳細なシステム構成について説明する。
【００２５】
図３に示されるように、ＯＤＤ１３は、記憶部（記憶手段）２２と、判断部２３と、処理部２４とを含んでいる。
【００２６】
記憶部２２は、不揮発性のメモリから構成されており、指定光ディスク２１を示す指定光ディスク情報を記憶する機能を有している。記憶された指定光ディスク情報は、判断部２３へ出力される。
【００２７】
判断部２３は、記憶部２２から出力された指定光ディスク情報に基づいて、装填された光ディスク２０が指定光ディスク２１であるか否かを判断する機能を有している。また、指定光ディスク２１が複数種類指定された場合、主メモリ１１３に格納された使用履歴情報を参照し、使用頻度の高い指定光ディスクを優先的に判断する機能を有している。
【００２８】
処理部２４は、指定光ディスク２１に対して読出し処理及び書込み処理の少なくとも一つの処理の実行を可能にする機能を有している。
【００２９】
次に、図４のフローチャートを参照しつつ、パーソナルコンピュータ１０によって実行される指定光ディスク２１に対する読取処理あるいは書込み処理の手順について説明する。
【００３０】
まず、パーソナルコンピュータ１０の電源がＯＮとされると、ＯＤＤ１３が初期化される（ステップＳ１０１）。
【００３１】
ユーザによって予め図５に示すような指定光ディスク２１の指定光ディスク情報が記憶部２２に記憶されていた場合、判断部２３に対して、ＣＤ−ＲＯＭとＣＤ＋ＲＷが指定光ディスクとして指定される（ステップＳ１０２）。
【００３２】
そして、ＯＤＤ１３に何らかの光ディスク２０が装填されたかどうかが判断される（ステップＳ１０３）。
【００３３】
ステップＳ１０３の判断の結果、光ディスク２０が何も装填されていなかった場合は、装填されたかどうかの判断が継続される（ステップＳ１０３）。
【００３４】
ステップＳ１０３の判断の結果、何らかの光ディスク２０が装填されていた場合には、ＯＤＤ１３の判断部２３によって、装填された光ディスク２０がＣＤ−ＲＯＭであるか否かが判断される。また、ＣＤ−ＲＯＭではないと判断された場合は、ＣＤ＋ＲＷであるか否かが判断される（ステップＳ１０４）。ＣＤ−ＲＯＭとＣＤ＋ＲＷのうちどちらを優先的に判断するかは、主メモリ１１３に格納された使用履歴情報を参照し、ＣＤ−ＲＯＭとＣＤ＋ＲＷの使用頻度を比較することによって決定する。ここでは、使用頻度の高いＣＤ−ＲＯＭが先に判断される。
【００３５】
ステップＳ１０４の判断の結果、装填された光ディスク２０がＣＤ−ＲＯＭあるいはＣＤ＋ＲＷである場合には、処理部２４によってそれらの指定光ディスク２１に対して読出し処理あるいは書込み処理の実行が可能とされる。そして、ＣＰＵ１１１によって読出し処理あるいは書込み処理が実行される（ステップＳ１０５）。
【００３６】
ステップＳ１０４の判断の結果、装填された光ディスク２０がＣＤ−ＲＯＭ及びＣＤ＋ＲＷのいずれにも該当しないと判断された場合、その他の光ディスク２０については判断されることなく、「装填された光ディスク２０は指定された指定光ディスク２１ではありません。」等のメッセージがＬＣＤ１７に表示されることによって、ユーザに対して通知がなされる（ステップＳ１０６）。これと同時に、ユーザに対して「指定光ディスクを新たに指定しますか？」等の通知がなされてもよい。その後、何らかの光ディスク２０がセットされているかどうかの判断（ステップＳ１０３）へ戻る。
【００３７】
通知を受けて、ユーザが指定光ディスク２１を新たに指定した場合は、記憶部２２に新たな指定光ディスク情報が記憶され、ステップＳ１０４において、装填された光ディスク２０が新たに指定された指定光ディスク２１であるか否かも判断されることとなる。
【００３８】
以上、説明したように、パーソナルコンピュータ１０においては、処理を実行すべき指定光ディスク２１がキーボード１４から入力されることによって指定され、ＯＤＤ１３は、指定された指定光ディスク２１のみに対して読出し処理及び書込み処理の少なくとも一つの処理の実行を可能にする。これによって、装填された光ディスク２０の種類の識別に要する時間を短縮し、パーソナルコンピュータ１０を短時間で起動することができる。
【００３９】
また、パーソナルコンピュータ１０においては、ＯＤＤ１３の判断部２３によって、装填された光ディスク２０は指定された指定光ディスク２１であるか否かが判断され、装填された光ディスク２０がいずれの指定光ディスク２１にも該当しないと判断された場合、その他の光ディスク２０のついては判断されることなく、その旨のメッセージがＬＣＤ１７に表示されることによって、ユーザに通知がなされる。これによって、ユーザは新たに指定光ディスク２１を指定することができる。
【００４０】
また、パーソナルコンピュータ１０においては、ＯＤＤ１３に指定光ディスク２１を示す指定光ディスク情報を記憶する記憶部２２が設けられ、判断部２３は、その指定光ディスク情報に基づいて、充填された光ディスク２０が指定光ディスクであるか否かを判断する。これによって、ユーザが定めた指定光ディスク情報を記憶部２２に保存しておくことができると共に、パーソナルコンピュータ１０の起動中にいつでも指定光ディスクの追加、変更をすることができる。
【００４１】
また、パーソナルコンピュータ１０においては、ＯＤＤ１３の判断部２３が指定光ディスク２１の判断を行う際に、主メモリ１１３に格納された使用履歴情報が参照され、使用頻度の高い指定光ディスク２１が優先的に処理される。これによって、複数種類の指定光ディスク２１が指定された場合にも、光ディスク２０の識別に要する時間を短縮し、パーソナルコンピュータ１０を短時間で起動することができる。
【００４２】
本発明は、上述した実施形態に限定されるものではない。
【００４３】
例えば、上記実施形態は、ＯＤＤ１３の記憶部２２に記憶された指定光ディスク情報に基づいて指定光ディスク２１が指定されていたが、これに代えて、ＯＤＤ１３に記憶部２２を設けずに、初期化の後のシステムＢＩＯＳからの指定によって、指定光ディスク２１を指定してもよい。
【００４４】
また、装填された光ディスク２０が指定光ディスク２１ではない旨をＬＣＤ１７に表示させることによってユーザに通知しているが、これに代えて、スピーカ１９から音声を発することによって通知してもよい。
【００４５】
また、情報処理装置をパーソナルコンピュータとしているが、これに代えて、ＨＤＤレコーダやカーナビとしてもよい。
【図面の簡単な説明】
【００４６】
【図１】本発明に係る情報処理装置の一実施形態であるパーソナルコンピュータの斜視図である。
【図２】図１に示されたパーソナルコンピュータのシステム構成を示すブロック図である。
【図３】図２に示されたＯＤＤのシステム構成を示すブロック図である。
【図４】図２に示されたパーソナルコンピュータによって実行される指定光ディスクの読出し処理あるいは書込み処理の手順を示すフローチャートである。
【図５】指定光ディスクの種類とその使用頻度を示す図である。
【符号の説明】
【００４７】
１０…パーソナルコンピュータ（情報処理装置）、１３…光ディスクドライブ、１４…キーボード（指定手段）、１７…ＬＣＤ（通知手段）、２０…光ディスク、２１…指定光ディスク、２２…記憶部（記憶手段）。
【図１】
2008165861.tif 000003
【図２】
2008165861.tif 000004
【図３】
2008165861.tif 000005
【図４】
2008165861.tif 000006
【図５】
2008165861.tif 000007